【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
液晶表示装置の共通電極に対してハイ電圧及びロー電圧を交互に印加し、前記共通電極と画素電極との間に掛ける電界の方向を定期的に反転させる共通電極駆動回路において、
前記共通電極と基準電圧源との間に設けられる出力段トランジスタと、
前記出力段トランジスタのゲートにその一方電極が接続される第１保持容量と、
互いに重複しないハイ期間がこの順で順に到来する第１、第２及び第３ゲート信号のうち、前記第１ゲート信号に応じて前記第１保持容量を放電させる放電回路と、
前記第２ゲート信号に応じて前記第１保持容量を充電する充電回路と、
前記第３ゲート信号に応じて前記一方電極の電圧を昇圧する昇圧回路とを有し、
前記昇圧回路は、
前記第１保持容量の他方電極と昇圧用電源との間に設けられ、前記第３ゲート信号に応じてオン／オフされる昇圧用トランジスタと、前記昇圧用トランジスタのゲート電圧を保持するとともに前記第１又は第２ゲート信号に応じて放電される第２保持容量と
を含むことを特徴とする共通電極駆動回路。
【請求項２】
請求項１に記載の共通電極駆動回路において、
前記第２保持容量の一方電極は、前記昇圧用トランジスタのゲート、及び第３ゲート信
号が入力される整流手段に接続され、他方電極はドレインが基準電圧に接続されるスイッ
チングトランジスタのソースに接続される、
ことを特徴とする共通電極駆動回路。
【請求項３】
請求項１に記載の共通電極駆動回路において、
前記第２保持容量の一方電極は、前記昇圧用トランジスタのゲート、第３ゲート信号が
入力される整流手段、及び前記第１又は第２ゲート信号に応じてオン／オフされるととも
に、ドレインが基準電圧に接続されるスイッチングトランジスタのソースに接続され、他
方電極は前記昇圧用トランジスタのドレインに接続される、
ことを特徴とする共通電極駆動回路。
【請求項４】
請求項３に記載の共通電極駆動回路において、
前記第２保持容量の前記一方電極と前記スイッチングトランジスタのドレインとの間に
は、オン電圧を供給する電源にそのゲートが接続されたバッファトランジスタが設けられ
る、
ことを特徴とする共通電極駆動回路。
【請求項５】
液晶表示装置の共通電極に対してハイ電圧及びロー電圧を交互に印加し、前記共通電極と画素電極との間に掛ける電界の方向を定期的に反転させる共通電極駆動回路において、
前記共通電極とハイ側基準電圧源との間に設けられるハイ側出力段トランジスタと、
前記共通電極とロー側基準電圧源との間に設けられるロー側出力段トランジスタと、
前記ハイ側出力段トランジスタのゲートにその一方電極が接続されるハイ側第１保持容量と、
前記ロー側出力段トランジスタのゲートにその一方電極が接続されるロー側第１保持容量と、
互いに重複しないハイ期間がこの順で順に到来する第１、第２及び第３ゲート信号のうち、前記第１ゲート信号に応じて前記ハイ側第１保持容量を放電させるハイ側放電回路と、
前記第１ゲート信号に応じて前記ロー側第１保持容量を放電させるロー側放電回路と、
前記第２ゲート信号に応じて前記ハイ側第１保持容量を充電するハイ側充電回路と、
前記第２ゲート信号に応じて前記ロー側第１保持容量を充電するロー側充電回路と、
前記第３ゲート信号に応じて前記ハイ側第１保持容量の一方電極の電圧と、前記ロー側第１保持容量の一方電極の電圧とを昇圧する昇圧回路とを有し、
前記昇圧回路は、
前記ハイ側第１保持容量の前記他方電極並びに前記ロー側第１保持容量の前記他方電極と昇圧用電源との間に設けられ、前記第３ゲート信号に応じてオン／オフされる昇圧用トランジスタと、前記昇圧用トランジスタのゲート電圧を保持するとともに前記第１又は第２ゲート信号に応じて放電される第２保持容量と
を含むことを特徴とする共通電極駆動回路。
【請求項６】
請求項１乃至５のいずれかに記載の共通電極駆動回路を備える液晶表示装置。
【手続補正２】
【補正対象書類名】明細書
【補正対象項目名】０００８
【補正方法】変更
【補正の内容】
【０００８】
上記課題を解決するために、本発明に係る共通電極駆動回路は、共通電極に対してハイ電圧及びロー電圧を交互に印加し、前記共通電極と画素電極との間に掛ける電界の方向を定期的に反転させる共通電極駆動回路において、前記共通電極と基準電圧源との間に設けられる出力段トランジスタと、前記出力段トランジスタのゲートにその一方電極が接続される第１保持容量と、互いに重複しないハイ期間がこの順で順に到来する第１、第２及び第３ゲート信号のうち、前記第１ゲート信号に応じて前記第１保持容量を放電させる放電回路と、前記第２ゲート信号に応じて前記第１保持容量を充電する充電回路と、前記第１保持容量の他方電極と昇圧用電源との間に設けられ、前記第３ゲート信号に応じてオン／オフされる昇圧用トランジスタと、前記ブート用ストラップトランジスタのゲート電圧を保持するとともに前記第１又は第２ゲート信号に応じて放電される第２保持容量と、を含む昇圧回路と、を含むことを特徴とする。
【手続補正３】
【補正対象書類名】明細書
【補正対象項目名】００１１
【補正方法】変更
【補正の内容】
【００１１】
また、本発明に係る共通電極駆動回路は、共通電極に対してハイ電圧及びロー電圧を交互に印加し、前記共通電極と画素電極との間に掛ける電界の方向を定期的に反転させる共通電極駆動回路において、前記共通電極とハイ側基準電圧源との間に設けられるハイ側出力段トランジスタと、前記共通電極とロー側基準電圧源との間に設けられるロー側出力段トランジスタと、前記ハイ側出力段トランジスタのゲートにその一方電極が接続されるハイ側第１保持容量と、前記ロー側出力段トランジスタのゲートにその一方電極が接続されるロー側第１保持容量と、互いに重複しないハイ期間がこの順で順に到来する第１、第２及び第３ゲート信号のうち、前記第１ゲート信号に応じて前記ハイ側第１保持容量を放電させるハイ側放電回路と、前記第１ゲート信号に応じて前記ロー側第１保持容量を放電させるロー側放電回路と、前記第２ゲート信号に応じて前記ハイ側第１保持容量を充電するハイ側充電回路と、前記第２ゲート信号に応じて前記ロー側第１保持容量を充電するロー側充電回路と、前記ハイ側第１保持容量の他方電極並びに前記ロー側第１保持容量の他方電極と昇圧用電源との間に設けられ、前記第３ゲート信号に応じてオン／オフされる昇圧用トランジスタと、前記ブート用ストラップトランジスタのゲート電圧を保持するとともに前記第１又は第２ゲート信号に応じて放電される第２保持容量と、を含む昇圧回路と、を含むことを特徴とする。
【手続補正４】
【補正対象書類名】明細書
【補正対象項目名】００２３
【補正方法】変更
【補正の内容】
【００２３】
図３に示すように、コモン信号Ｃｎを出力する出力段には交互に駆動される薄膜トランジスタＴ３及びＴ３ｂが並列に設けられており、これら薄膜トランジスタＴ３及びＴ３ｂのドレインにコモン線ＣＬｎが接続されている。薄膜トランジスタＴ３のソースはコモン信号Ｃ１〜Ｃｍの高電圧（基準高電圧）を供給する高電圧ＶＣＯＭＨに接続されており、薄膜トランジスタＴ３ｂはコモン信号Ｃ１〜Ｃｍの低電圧（基準低電圧）を供給する低電圧ＶＣＯＭＬに接続されている。薄膜トランジスタＴ３のゲートは保持容量Ｃ１の一方電極が接続されており、薄膜トランジスタＴ３Ｂのゲートは保持容量Ｃ１ｂの一方電極が接続されている。
【手続補正５】
【補正対象書類名】明細書
【補正対象項目名】００２４
【補正方法】変更
【補正の内容】
【００２４】
保持容量Ｃ１の他方電極は薄膜トランジスタＴ５のソースに接続されており、該薄膜トランジスタＴ５のドレインは基準低電圧を供給する基準低電圧ＶＧＬに接続されている。薄膜トランジスタＴ５のゲートはゲート信号Ｇｎ−２を供給するゲート線ＧＬｎ−２に接続されている。また、保持容量Ｃ１の一方電極は薄膜トランジスタＴ６のソースに接続されており、該薄膜トランジスタＴ６のドレインも基準低電圧を供給する基準低電圧ＶＧＬに接続されている。薄膜トランジスタＴ６のゲートもゲート線ＧＬｎ−２に接続されており、薄膜トランジスタＴ５，Ｔ６は、ゲート信号Ｇｎ−２のハイ期間に保持容量Ｃ１を放電させる放電回路を構成している。すなわち、図４に示すように、ゲート信号Ｇｎ−２のハイ期間において、保持容量Ｃ１の両電極の電圧Ｖａ，Ｖｂは基準低電圧ＶＧＬになる。
【手続補正６】
【補正対象書類名】明細書
【補正対象項目名】００２５
【補正方法】変更
【補正の内容】
【００２５】
同様に、保持容量Ｃ１ｂの他方電極は薄膜トランジスタＴ５ｂのソースに接続されており、該薄膜トランジスタＴ５ｂのドレインは基準低電圧を供給する基準低電圧ＶＧＬに接続されている。薄膜トランジスタＴ５ｂのゲートはゲート信号Ｇｎ−２を供給するゲート線ＧＬｎ−２に接続されている。また、保持容量Ｃ１ｂの一方電極は薄膜トランジスタＴ６ｂのソースに接続されており、該薄膜トランジスタＴ６ｂのドレインも基準低電圧を供給する基準低電圧ＶＧＬに接続されている。薄膜トランジスタＴ６ｂのゲートもゲート線ＧＬｎ−２に接続されており、薄膜トランジスタＴ５ｂ，Ｔ６ｂは、ゲート信号Ｇｎ−２のハイ期間に応じて保持容量Ｃ１ｂを放電させる放電回路を構成している。すなわち、図４に示すように、ゲート信号Ｇｎ−２のハイ期間において、保持容量Ｃ１ｂの両電極の電圧Ｖｃ，Ｖｄは基準低電圧ＶＧＬになる。
【手続補正７】
【補正対象書類名】明細書
【補正対象項目名】００２６
【補正方法】変更
【補正の内容】
【００２６】
保持容量Ｃ１の他方電極は薄膜トランジスタＴ７のソースにも接続されており、該薄膜トランジスタＴ７のドレインは基準低電圧ＶＧＬに接続されている。また、薄膜トランジスタＴ７のゲートはゲート線ＧＬｎ−１に接続されている。保持容量Ｃ１の一方電極はダイオード接続された薄膜トランジスタＴ２のドレイン（カソード側）に接続されており、薄膜トランジスタＴ２のソース（アノード側）には薄膜トランジスタＴ１のドレインが接続されている。薄膜トランジスタＴ１のソースには、水平期間Ｔｗｇ毎に交互にハイ状態となる交流化信号Ｍ及び反転交流化信号ＭＢのうち、交流化信号Ｍが供給されており、ゲートは、ゲート線ＧＬｎ−１に接続されている。これにより、ゲート信号Ｇｎ−１のハイ期間に、交流化信号Ｍがハイ状態であれば、交流化信号Ｍのハイ電圧に応じた電圧が保持容量Ｃ１の一方電極に、基準低電圧ＶＧＬに応じた電圧が他方電極に、それぞれ印加される。こうして、トランジスタＴ１，Ｔ２，Ｔ７は、２×Ｔｆ毎に、ゲート信号Ｇｎ−１のハイ期間に保持容量Ｃ１を充電する充電回路として機能する。すなわち、図４に示すように、ゲート信号Ｇｎ−１がハイ期間であり、且つ交流化信号Ｍがハイ期間であれば、保持容量Ｃ１の一方電極はＶａ１（＝ＶＧＨ−２Ｖｔｈ）にまで高くなる。このとき、他方電極は基準低電圧ＶＧＬに維持される。
【手続補正８】
【補正対象書類名】明細書
【補正対象項目名】００２７
【補正方法】変更
【補正の内容】
【００２７】
同様に、保持容量Ｃ１ｂの他方電極は薄膜トランジスタＴ７ｂのソースに接続されており、該薄膜トランジスタＴ７ｂのドレインは基準低電圧ＶＧＬに接続されている。また、薄膜トランジスタＴ７ｂのゲートはゲート線ＧＬｎ−１に接続されている。保持容量Ｃ１ｂの一方電極はダイオード接続された薄膜トランジスタＴ２ｂのドレイン（カソード側）に接続されており、薄膜トランジスタＴ２ｂのソース（アノード側）には薄膜トランジスタＴ１ｂのドレインが接続されている。薄膜トランジスタＴ１ｂのソースには、交流化信号ＭＢが供給されており、ゲートは、ゲート線ＧＬｎ−１に接続されている。これにより、ゲート信号Ｇｎ−１のハイ期間に、反転交流化信号ＭＢがハイ状態であれば、反転交流化信号ＭＢのハイ電圧に応じた電圧が保持容量Ｃ１ｂの一方電極に、基準低電圧ＶＧＬに応じた電圧が他方電極に、それぞれ印加される。こうして、トランジスタＴ１ｂ，Ｔ２ｂ，Ｔ７ｂは、２×Ｔｆ毎に、ゲート信号Ｇｎ−１のハイ期間に保持容量Ｃ１ｂを充電する充電回路として機能する。すなわち、図４に示すように、ゲート信号Ｇｎ−１がハイ期間であり、且つ反転交流化信号ＭＢがハイ期間であれば、保持容量Ｃ１ｂの一方電極はＶｃ１にまで高くなる。このとき、他方電極は基準低電圧ＶＧＬに維持される。
【手続補正９】
【補正対象書類名】明細書
【補正対象項目名】００２９
【補正方法】変更
【補正の内容】
【００２９】
上記昇圧回路は、ソースに基準高電圧ＶＧＨが印加されるとともに、ドレインが薄膜トランジスタＴ４，Ｔ４ｂのソースに接続される薄膜トランジスタＴ１３を中心に構成されている。薄膜トランジスタＴ１３は、基準高電圧ＶＧＨに応じた電圧を保持容量Ｃ１，Ｃ１ｂの他方電極に印加するバッファとして機能する。薄膜トランジスタＴ１３のゲートには、保持容量Ｃ１１の一方電極が接続され、該保持容量Ｃ１１の他方電極には基準低電圧ＶＧＬが印加される。これにより、保持容量Ｃ１１は薄膜トランジスタＴ１３のゲート電圧を保持する機能を有する。後述するように保持容量Ｃ１１からは電流漏れが生じにくく、それ故に保持容量Ｃ１１の容量値は、薄膜トランジスタＴ３，Ｔ３ｂのゲート容量の半分以下でよい。